(57)【特許請求の範囲】
【請求項１】
比較的太い釣り糸であるリーダーの表面周りに、比較的細い釣り糸であるメインラインを巻き付けたり編み付けて結線する際に用いる補助具であって、
上下一対のアームの先端にはメインラインを係止めするための巻止部を有し、
上下いずれかのアームの先端部分にメインラインを通すためのノズル部を設け、
上下一対のアームを先端が開く方向に力が加わるようにバネを設け、
上下一対のアームの支持部付近にリーダーを係止するための巻止部を有することを特徴とする釣り糸の結線補助具。
【請求項２】
上下一対のアームの先端側にメインラインを折り返したり巻き付けたりするためのガイド部を設けたことを特徴とする請求項１に記載の釣り糸の結線補助具。
【請求項３】
比較的太い釣り糸であるリーダーの表面周りに、比較的細い釣り糸であるメインラインを巻き付けたり編み付けて結線する際に用いる補助具であって、
上下一対のアームのそれぞれの先端にはメインラインを係止めするための巻止部を有し、
双方のアームの支持部付近にリーダーを係止めするための巻止部を有する可動アームを設けたことを特徴とする釣り糸の結線補助具。
【請求項４】
前記、請求項１ならびに請求項２に記載のリーダーを係止めするための巻止部を、請求項３に記載された可動アームに配置したことを特徴とする請求項１又は２に記載の釣り糸の結線補助具。
【発明の詳細な説明】
【技術分野】
【０００１】
本発明は、釣り糸のメインラインとリーダーを結線するために用いる補助具に関する。
特に、パックラットノット（ＰＲノット）やＦＧノットを安全に簡単に素早く作ることができる結線補助具（ノットツール）に関する。
【背景技術】
【０００２】
リールに巻く釣り糸（メインライン）としては、遠投ができることや水の抵抗や風の影響を受ける事が少ない事から細めの糸が使用される。そして、このメインラインの先端に太めの釣り糸（リーダー）をつないで、先端部のリーダーが岩や海藻や魚の歯で擦れたりして切れる事を防いでいる。
【０００３】
メインラインとしては、軽く、しなやかで細く、引張強度を有する事が望ましいため、近年では従来のナイロンラインの３倍以上の引張強度を有するポリエチレンライン（ＰＥライン）が使用される割合が高まっているが、ＰＥラインには以下のような短所もある。
（１）表面がつるつるで滑り易い。
（２）糸が細すぎるため、結線時に素手で引っ張ると手を切りやすい。
（３）糸を折り曲げると強度が低下し切れやすい。
【０００４】
リーダーとしては、摩耗に対する耐久性に優れたフロロカーボンラインや、しなやかで伸びのあるナイロン系ラインを使用することが通常に行われているが、以下のような問題点がある。
（１）ＰＥラインへの引張強度に対応するため、リーダーとしてＰＥラインの３〜４倍程度の直径のラインを使用する事が多い。このように両者の直径が極端に異なる場合、一般的な電車結び等の従来の結線方法では適さない。
（２）リーダーとＰＥラインを結線する場合、ＰＥライン表面の滑り易さからライン同士の表面摩擦が少なく、従来の結線方法ではリーダーが糸抜けしやすくなり、結果的に仕掛けや疑似餌（ルアー）を失ったりしやすい。
【０００５】
このような理由から、糸抜けの発生しない特殊な方法で結線する必要がある。そこで、このような特殊な結線方法（ラインシステム）としてＰＲノット（非特許文献１参照）、ＦＧノット（非特許文献２参照）、ＳＦノット、ミッドノット等が提案された。
これらのラインシステムの中でもＰＲノットの結線強度が最強とされる。また、ＦＧノットは結線強度が高いとともに結線時の結び目が小さくキャスティング向きの優れた結線方法として広くルアー（疑似餌）釣りの愛好者に知られている。
【０００６】
ところが、ＰＲノットは道具を使わずにして結線が出来ないノット（結び）でもある。また、ＦＧノットを道具を使わずに結線するには、両手を駆使して行う作業で熟練を要し、特に利き手の二本の指にＰＥラインを巻きつけて編み付ける方法は、編み付けの強度が一定せず糸抜けの原因となり、初心者にとっては難しく不完全な結線となることが多かった。
また、締め付け時は強い力で編み付け部分を締め込む必要があり、素手では指や手に怪我をする恐れがあり危険なため、手袋やプロテクタ、締め付け専用の道具が必要になる。
【０００７】
そこで、このような編み付けを補助するためのノットツールが提案されており、一般に広く知られたものもいくつか存在する。
【０００８】
例えば、ＰＲノット用の結線補助具（ＰＲノットツール）としては、リーダーに巻き付けるためのメインライン先端側を予めノズル部を通してからボビン部に巻きとっておき、メインラインへ掛かるテンションを調整してから結線作業に取り掛かるように構成したものがある。（特許文献１参照）
また、電池とモーターの動力を用いてリーダーを回転させて、その回転したリーダーにメインラインを巻き付けていくように構成したものもある。（非特許文献３参照）
【０００９】
ＦＧノット用の結線補助具（ＦＧノットツール）としては、メインラインをリーダーに巻き付けるという手作業を、ノットツール本体から上下に延ばした２本のアーム先端を使用して、メインラインが張架され緊張状態を保持するよう係止するとともに、ノットツール本体中央にはリーダーを着脱自在に係止するリーダー係止部を設け、リーダーをリーダー係止部から着脱しながら前記２本のアームに張架されたメインラインに編み付けて行くように構成したものがある。（特許文献２、３参照）
【００１０】
このように、それぞれのノットに対応したＰＲノットツールやＦＧノットツールは、一般に広く流通されているものの、ＰＲノットとＦＧノットの両方のノットに対応したノットツールは実現されておらず、これまでも提案されたことがない。
【００１１】
最近ではウェーディングでの釣りやランガンと言われる釣り場を次々と移動して釣行するスタイルが一般的となってきている関係から、携帯性を意識して小型のスプールを用いたリーダースプールがいくつか市場に提供されるようになった。（非特許文献４、非特許文献５参照）
【００１２】
ただし、リーダースプールの大きさと形状に関しては統一規格が存在せず、各メーカーがそれぞれ微妙に大きさと形状が異なる製品を提供している状況にある。
この動きに対し、これまで提案されているノットツールの殆どは、全て個別に携行する形態となっており、ノットツールを用いて結線するリーダーと一緒に携帯することを前提に作られた製品は現時点では存在せず、それぞれ別々に携行する必要性があり不便であった。
【００１３】
このような課題に対する提案としては、ノットツールでありながらリーダースプールのホルダーとしても使えるように、特許文献３の請求項４に於いて、その実現方法が唯一提案されている状況にある。
【００１４】
これらの従来のノットツールについては、以下のような問題点も存在する。
（１）従来のＰＲノットツールでは、結線作業前にラインの太さに合わせたテンション調整を実施する必要があり、細いラインを用いる場合はテンションを弱く、太いラインを用いる場合はテンションを強く設定し、極端に太いラインを用いる場合は、テンションを強くした上に重りを追加したりして、事前のテンション調整を入念に行う必要がある。このテンション調整を誤ると不完全なラインシステムとなり、強度不足という結果に繋がる場合がある。
（２）一般的なノットツールでは、テンションが強くなるとそれだけノズル部からのメインラインの送り出しにブレーキがかかった状態となるため、ノットルーツ自体を回転させにくくなる。通常、このような場合はノットツールへウェイトを追加することで、ノットツール自体の重量を増量して解決している。
（３）その結果、必要以上にテンションを強めに調整してしまうケースも多く、結線段階でリーダーが強く捩れてしまい、リーダーに折れ目が付いたりしてラインシステムの強度を損なう結果に至る場合もある。
（４）最近ではスマートフォン等を携帯して位置情報や潮汐表を確認しながらの釣行が多くなっており、磁石を用いたノットツールの場合、内蔵するジャイロセンサーや電子コンパスへ少なからず影響を与える関係から、同時に携行する際は注意を払う必要がある。またサーフなどの砂地での釣行の際は、ノットツールを落とさないように注意しないと、砂鉄等のゴミの付着で意図した性能が得られない場合がある。
（５）電池やモーターを使用するノットツールについても、砂噛みや落水によるショートによって故障の原因になるため、釣り場への携行時は注意が必要である。
（６）対象とする釣魚によってラインシステムをＰＲノット、ＦＧノットと使い分ける場合があるが、一つのノットツールでＰＲノット、ＦＧノットを結線できるノットツールが存在しないため、それぞれに対応したノットツールを購入するか、どちらかのラインシステムに割り切って一つのノットツールで済ますかという形になり、釣り人の選択肢を狭める結果に繋がっている。
（７）ノットツールでありながらリーダースプールのホルダーとして普及させるには、より広範囲のスプールサイズに対応させて、使用するリーダー製品の選択肢を広げる必要がある。
【先行技術文献】
【特許文献】
【００１５】
【特許文献１】特開２０１０−１８７６３２号公報
【特許文献２】特開２０１１−４７２６号公報
【特許文献３】特開２０１１−７８４０６号公報
【非特許文献】
【００１６】
【非特許文献１】”UNITIKA FISHING LINE WEB SITE”、［online］、［平成２４年９月１０日検索］、ユニチカ、インターネット＜URL:http://www.unitika.co.jp/fishing/knot/pe/pr.html＞
【非特許文献２】”Seaguar Web”、［online］、［平成２４年９月１１日検索］、株式会社クレハ、インターネット＜URL:http://www.seaguar.ne.jp/knot/page.jsp?mode=cover/lines/page/13＞
【非特許文献３】”Hapyson”、”ライン結び器”、［online］、［平成２４年９月１０日検索］、山田電器工業株式会社、インターネット＜URL:http://hapyson.com/line/index.html＞
【非特許文献４】”Seaguar Web”、”シーガー・ショックリーダープレミアムマックス”、［online］、［平成２４年９月１０日検索］、株式会社クレハ、インターネット＜URL:http://www.seaguar.ne.jp/lineup/page.jsp?mode=page/40＞
【非特許文献５】”SUNLINE catalog”、”ポケットショックリーダーＦＣ”、［online］、［平成２４年９月１０日検索］、株式会社サンライン、インターネット＜URL:http://www.sunline.co.jp/catalog/salt/pocketshock_fc.html＞
【発明の概要】
【発明が解決しようとする課題】
【００１７】
本発明が解決しようとする課題は、上記のこれらの問題点を解消し、テンション調整作業を省力化し、リーダーの捩れを最小限に抑えられ、砂地への落下や落水しても故障せず、ＰＲノットもＦＧノットも結線可能であり、広範囲のリーダースプールサイズに対応したスプールホルダーとしても使えるノットツールを提供することを目的とする。
【課題を解決するための手段】
【００１８】
本発明の釣り糸のノットツールの基本構造としては、比較的太い釣り糸であるリーダーの表面周りに、比較的細い釣り糸であるメインラインを巻き付けたり、編み付けたりして結線する際に用いる補助具であって、ノットツール本体にメインラインを縦方向に張架するための一対のアームを上下に設け、各アームは非弾性の剛性体、若しくは剛性板で構成され、その上下双方のアームの先端側にはメインラインを係止めするための巻止部が設けられ、また、ノットツール本体の上下双方のアームの支持部には、双方のアームの先端が開く方向にバネ（引張コイルばねまたはねじりコイルばね）の力が働くように設けられ、さらにノットツール本体にはリーダーを係止めするための巻止部を設けた構造になっている。この基本構造によって、ＦＧノットツールとしての機能が実現されている。
【００１９】
本発明の請求項１においては、さらに上下いずれかのアームの先端部分にノズル部を設けたことを特徴としている。このノズル部を通したメインラインをノズル部を設けていないもう一方のアーム先端の巻止部に係止めし、アームの先端を開く方向に力を加えているバネの力を用いてリーダーにメインラインを巻き付ける際のテンションを生み出す様にしている。これによって、ＰＲノットツールとしての機能が実現されている。
【００２０】
本発明の請求項２においては、さらに上下一対のアームの先端側にメインラインを折り返したり巻き付けたりするためのガイド部を設けた事を特徴としている。
このガイド部（テンションガイド）の役割は、メインラインをリーダーに巻き付ける際に発生する遠心力がアームの先端を開く方向に力を掛けているバネの力以上となった場合、ノズル部を有するアームの先端が遠心力の働く方向へ動いてアームの先端を閉じてしまい、ノズル部先端部分におけるテンションが抜けてしまうことがあるが、ガイド部（テンションガイド）にメインラインを巻き付けることで、直接ノズル部を有するアーム側に遠心力が掛かる事を防ぎ、ラインテンションを維持する事が可能になる。
さらにアーム間のガイド部（折り返しガイド）を何度か折り返す事によってリーダーに巻き付けるメインラインの長さにも余裕を持たせる事が可能になり、一回当たりの巻き付け長さが長くなる太いリーダーへの対応を可能にするための役割も果たしている。
これによって、ＰＲノットツールとしての使い勝手の向上や、太いリーダーへの対応幅を広げる事が可能になる。
【００２１】
本発明の請求項３においては、前述の基本構造のうち、双方のアームの支持部付近に設けたリーダーを係止めするための巻止部を有するアームを、可動する状態に設けたことを特徴ととしている。
この可動するアーム（リーダー用アーム）の役割は、上下のアーム先端部分とリーダーを係止めするアーム先端部分の間の距離を調節する事を可能にしている。
所定の位置に配置されている場合は、下側アーム先端位置とリーダー用アーム先端との距離（アーム間の距離）は最短になる。
このアーム間の距離を最大にする場合は、上下アームの先端位置を結ぶ線上の中間点に近い方向にリーダー用アームを近づける事で可能になる。
このアーム間の距離の違いを利用して、大きさの異なるリーダースプールのスプールホルダーとして使う事を可能にしている。
【００２２】
本発明の請求項４においては、前述の基本構造に請求項３の機能を加え、さらに請求項１と請求項２の機能を加えたことを特徴とし、それによって、ＦＧノットツールとしての機能を有しながら、スプールホルダーとしての機能を持たせる事も可能になっており、さらに使い勝手の良い、太いリーダーへの対応幅が広いＰＲノットツールとしての機能を有し、ＦＧノット、ＰＲノットの双方に対応したノットツールを実現している。
【発明の効果】
【００２３】
本発明の請求項１によって生じる効果としては、ＦＧノットの結線が可能でありながら、ＰＲノットの結線も可能にした点にある。従来のノットツールではＦＧノットとＰＲノットの双方を結線できるものは存在せず、一つのノットツールとしては初めてＦＧノット、ＰＲノットの結線を実現可能にしている。
一般的なＰＲノットツールはボビン部を有し、リーダーに巻き付けるメインラインを予めボビン部に巻き付けておく方法を用いている。そしてリーダーに巻き付けられるメンラインはボビン部からテンションを掛けながらノズル部を通して送り出される形になる。
本発明のノットツール（本ノットツール）では、このボビン部に相当する働きを上下のアームで実現している。リーダーに巻きつけられるメインラインが送り出される事によって、上下のアームの先端の距離が狭まり、その動きにバネの力が反発してテンションが生み出され、ボビン部に相当する役割を果たしている。
【００２４】
本発明の請求項２によって生じる効果としては、従来のＰＲノットツールで行われる事前の面倒なテンション調整作業を不要としたことが挙げられる。さらにノズル部を有するアームにかかる遠心力をガイド部（テンションガイド）が緩和する効果があるため、バネの力が弱いものを使えるようになる。
このバネの力が弱いものを使えるようになる事によって、さらに生じる効果がある。ＦＧノットを編み付ける作業が簡単になるという効果である。具体的には強いバネであると、リーダーをメインラインに編み付けている最中に手が滑ったりすると、強いバネの力で、せっかく編み付けた部分が編み付ける前の状態に解れて戻ってしまい、再びやり直す羽目になる場合があるが、バネの力が弱いと、手を離しても編み付けた部分が編み付け前の状態に戻らず、やり直しで無駄に時間を浪費することがなくなる。
バネの力が弱いと、ＦＧノットの締め付けが不十分になるのではないかという心配が思い浮かぶが、本発明のノットツールではアームに剛性体（又は剛性板）を用いているため、アームの先端を開く側に手で任意に力を加える事で意識的に締め付けの調整が可能であり、締め付けが不十分になるという心配をする必要がない。
【００２５】
一般的なＰＲノットツールで必要となるテンション調整作業を不要にする仕組みとしては、本ノットツールが２つのアームを用いている構造的なものによる。具体的には、ノズル部を有するアームについてはテンションガイドによって遠心力方向に動く事を制約されるが、テンションガイドを有しない側のアームについては、遠心力の影響を直接受ける形になる。メインラインをリーダーに巻き付ける際には、体操競技の選手が鉄棒競技で大車輪をするように、リーダーを中心に本ノットツールを回転させる形になるが、この回転速度を調整する事で遠心力の強さを調整する事が可能になる。この遠心力がアームの先端側を広げる方向のへの力として働き、結果的にはアームを開こうとするバネの力を補助する形なる。それによってリーダーに巻きつけるメインラインのテンションが強まる。
この際のテンションガイドの役割は、この鉄棒選手の握力に相当し、回転の中心であるリーダーから本ノットツールが遠心力の掛かる方向へ離れてしまわないようにする役割を果たしている。
本ノットツールでは静的な状態ではテンションの強度は変化しないが、回転速度を早める事で加えるテンションを強く、回転速度を緩めることで加えるテンションを小さく設定する事ができる。つまり、巻き付ける際の回転の早さによってテンションの追加を調整できるという従来にない方法を採用しているため、事前のテンション調整作業が不要となる。
【００２６】
この巻き付ける際の回転の早さの調整においては、リーダーが細ければ本ノットツールの重みによって回転軸のブレが大きくなる関係から、心理的に控えめの早さの回転となり、細いリーダーに適した回転に調整されるという効果が現れる。逆にリーダーが太ければ細いリーダーの場合と比較して回転軸が安定するため、心理的安心感から積極的に回転も早くなり、太いリーダーに適した早めの回転に調整されるという効果が現れる。
また、巻き付けている段階でリーダーは両手に持っている状態にあり、巻き付けながらリーダーの捩れ具合が把握できることから、巻き付けながら回転速度を調整することでテンションが調整され、捩れを最小限に抑えるように意識して巻き付けを進める事も可能になる。
巻き付けの回転を早くしてテンションを強く調整する事ができるということは、テンションが強くなった段階では回転の慣性力が十分に強くなっているという状態に等しく、メインラインの送り出しにブレーキが掛かって本ノットツール自体を回転させにくくなるという事が発生し難い状態になっているということであり、結果的にウェイトの追加が必要になる状況も少なくなり、事前の調整作業は殆ど不要となる。
個人の好みにも左右されるが、どうしても強めのラインテンションを掛けないと安心できないという場合は、ウェイトを追加した上で回転速度を調整すれば強めのラインテンションに対応可能になる。
【００２７】
さらに本発明の請求項２においては、折り返し部（折り返しガイド）を設けることによって、アーム先端どうしの距離分以上にリーダーに巻き付けられるメインラインの長さを長くする事が可能になるため、リーダーの太さへの対応幅を広くすることができる効果が得られる。リーダーに巻き付ける回数は少ないより多い方が結線強度は増す傾向にあるため、大物の対象魚への対応も可能になる。
【００２８】
また、本ノットツールでは、アームを使っていることによって巻き付け後のリーダーの捩れを緩和する事が可能である。一般的なＰＲノットツールでは、テンションを掛けてメインラインを巻き付けていく段階で、巻き付けているメインラインがリーダーを引っ張る形で捩っていくことになるため、巻き終えた段階ではリーダーにかなりの捩れが生じている。
一般的なＰＲノットツールではこの捩れを指で解いてやる手間が生じるが、本ノットツールでは、巻き終えた段階で両手で掴んでいるリーダーを強く引っ張っり緊張させた状態にし、両アームの先端間を狭める側に動かすことでリーダーに巻き付いているメインラインのテンションを緩めることが可能である。テンションが解放されることによって、リーダーには捩れた箇所が元通りの状態に復元しようとする力が働く、その際にテンションが緩んでいる部分のメインラインは捩れが元通りに復元できるところまでリーダーに巻き付いていく形になる。
この過程でリーダーの捩れは緩和され、手で捩れを解く手間が軽減されるという効果が得られる。併せて強度低下に繋がる捩れによるリーダーの折れも防止できるという効果も得られる。
【００２９】
本発明の請求項３によって生じる効果としては、リーダー用アームが可動し、さらに所定の位置に配置されるように引張ばね等を設けることによって、所定の位置が小さめのリーダースプールの大きさに対応し、バネの反発が最大に得られる位置（リーダーをメインラインに編み付ける位置側）が大きめのリーダースプールの固定に対応させることができる点にある。
具体的には、所定の位置に配置されている場合は、下側アーム先端位置とリーダー用アーム先端との距離（アーム間の距離）は最短になり、リーダースプールの外周側と下側アームの巻止部表面が接し、リーダースプールの真ん中のくりぬかれた穴（軸穴）にはリーダー用アームの巻止部がはまり込む、それによって、リーダースプールは下側アームの巻止部とリーダー用アームの巻止部で掴まれた状態になり、スプールホルダーとして使用できる。
リーダー用アームの位置が、リーダーをメインラインに編み付ける位置側に可動すれば、もっとサイズの大きいリーダースプールのスプールホルダーとしても使用でき、携帯性の面でもメリットが得られる。
【００３０】
さらに、本発明の請求項３において得られる効果としては、特許文献３のＦＧノットツールでは、くの字形のアーム形状による独特のアーム動作の関係から編み付け部分の前進性が得られているが、本ノットツールでは、リーダー用アームが可動する事を利用して編み付け位置から離れていく方向に動かすことで編みつけ位置の前進性を得ることが可能になっている。更に引張ばねを設ける事によって、リーダー用アームを引張ばねの力で編み付け位置から離れていく方向に動かすことが可能になり、編みつけ位置の前進性を得ることができる。結果的に本ノットツールでも特許文献３同様の効果が得られる特性となっている。
【００３１】
さらに、このリーダー用アームが可動することで、編み付け位置からリーダー巻止部を遠ざかる方向に移動させることができるため、メインラインの端線側を下側アームの巻止部から外し、リーダー用アームを動かすことで、編み付けられたメインライン本線側とリーダーを緊張状態に張架させる事が可能である。なお、この動作を引張ばねの力により自動的に行わせることにより、すぐにハーフヒッチ作業工程へ進める事も可能になる。つまり、一般的なＦＧノットツールで必要とされるハーフヒッチ工程へ進めるためのリーダーの巻き付け直し作業が可動するリーダー用アームによって不要となり、結線作業に要する時間の短縮が図られている。
【００３２】
本発明の請求項４によって、また、電気部品や磁石を用いない構造であることから、本願で定義した課題の全てを解決する事ができるＰＲノット、ＦＧノットの双方に対応したノットツールが実現可能になる。
【００３３】
本発明のノットツールによって、ＰＲノットにもＦＧノットにも対応可能となるが、本発明の請求項２のガイド部（折り返しガイド）を使ってスナップをリーダーで結線する際のハーフヒッチツールとしても利用可能になる。
最近ではスナップの結線にハーフヒッチを施すことで結線強度が増すことが一般的に知られており、このスナップの結線作業をも補助することで、ＰＥラインとリーダーの結線、リーダーとスナップの結線というラインシステム全体の結線作業を本発明のノットツールで対応する事が可能になっている。
【図面の簡単な説明】
【００３４】
【図１】本発明請求項１〜４の実施の形態に係る釣り糸の結線補助具正面側の斜視図である。
【図２】図１の結線補助具の各アームの支持部正面側の分解構成図である。
【図３】図１の結線補助具の各アームの支持部背面側の分解構成図である。
【図４】図１の結線補助具のノズル部正面側の構成図である。
【図５】図１の結線補助具のノズル部背面側とライン折り返し部分の構成図である。
【図６】図１の結線補助具背面側の斜視図である。
【図７】図１の結線補助具の折り畳んだ状態を示す図である。
【図８】図１の結線補助具を用いたＰＲノットの結線手順を示す説明図である。
【図９】図１の結線補助具を用いたＰＲノットの結線手順を示す説明図である。
【図１０】図１の結線補助具を用いたＰＲノットの結線手順を示す説明図である。
【図１１】図１の結線補助具を用いたＰＲノットの結線手順を示す説明図である。
【図１２】図１の結線補助具を用いたＰＲノットの結線手順を示す説明図である。
【図１３】図１の結線補助具を用いたＰＲノットの結線手順を示す説明図である。
【図１４】図１の結線補助具を用いたＰＲノットの結線手順を示す説明図である。
【図１５】図１の結線補助具を用いたＰＲノットの結線手順を示す説明図である。
【図１６】図１の結線補助具を用いたＰＲノットの結線手順を示す説明図である。
【図１７】図１の結線補助具を用いたＰＲノットの結線手順を示す説明図である。
【図１８】図１の結線補助具を用いたＰＲノットの結線手順を示す説明図である。
【図１９】図１の結線補助具を用いたＦＧノットの結線手順を示す説明図である。
【図２０】図１の結線補助具を用いたＦＧノットの結線手順を示す説明図である。
【図２１】図１の結線補助具を用いたＦＧノットの結線手順を示す説明図である。
【図２２】図１の結線補助具を用いたＦＧノットの結線手順を示す説明図である。
【図２３】図１の結線補助具を用いたＦＧノットの結線手順を示す説明図である。
【図２４】図１の結線補助具を用いたＦＧノットの結線手順を示す説明図である。
【図２５】図１の結線補助具を用いたスナップの結線手順を示す説明図である。
【図２６】図１の結線補助具を用いて一般的なミニサイズのリーダースプールを装着した場合の説明図である。
【図２７】図１の結線補助具を用いて小さめのミニサイズのリーダースプールを装着した場合の説明図である。
【図２８】図１の結線補助具を用いて大きめのミニサイズのリーダースプールを装着した場合の説明図である。
【発明を実施するための形態】
【実施例１】
【００３５】
以下より、本発明の実施の形態について図面を参照して詳細に説明する。
図１は、本発明の請求項１〜４の実施の形態に係る釣り糸の結線補助具を示す斜視図である。
図２は、図１の結線補助具のアームの支持軸部分を示す分解構造図であり、図１における本体部分２の部分を取り除き、内部構造が見えるようにした図であり、請求項３の実施の形態に対し、さらにリーダー用アームが所定の場所に配置されるように引張ばねを設けた場合の実施例の斜視図である。
図３は、図２の反対側、つまり本体部分の背面側からみた場合の分解構造図であり、アームの支持構造とばねによるアーム先端が開く様にする仕組みを示す図である。
図４は、ノズル部の構成を示す図である。
図５は、ノズル部の構成を背面側から見た図である。
図６は、本発明の結線補助具の背面を示す斜視図である。
図７は、本発明の結線補助具を折り畳んだ場合の正面からの斜視図である。
【００３６】
この結線補助具１は、図１に示すようにノズルアーム４とアンダーアーム６を上下に有し、これら上下のアームはアーム支持部２のアーム支持軸２ａによって支持されており、これら上下のアーム先端を開く様にする仕組みは図３に示されるアーム用ねじりコイルばね２ｄによって行われている。
また、アーム開放防止ピン２ｅと２ｅ’が図１、図５に示されるように設けられ、これら上下のアームの先端が必要以上に開き過ぎないようになっている。
リーダー用アーム３は、前述の上下のアーム同様にアーム支持部２のアーム支持軸２ａによって支持されているが、所定の位置、つまり図１に示すような位置へ配置するためには、図２に示すリーダー用アーム引張ばね３ａによって位置を調整している。このリーダー用アーム引張ばね３ａはアーム支持部２のリーダー用アーム引張ばね固定金具２ｂに固定されている。
これらの３つのアーム（３、４、６）の支持部分がアーム用ねじりコイルばね２ｄのばね部分に直接触れて動きを阻害しないようにするため、アーム支持軸スペーサー２ｃが図２、図３に示されるように設けられ、アーム支持部２の主要な構造が構成されている。
【００３７】
リーダー用アーム３の先端にはリーダー用巻止部３ｄが設けられ、リーダー用巻止部３ｄはリーダー用巻止部Ｏリング３ｃとリーダー用巻止部巻取位置３ｄから構成されている。
図２の実施例では、リーダー用巻止部Ｏリング３ｃは４個用いられ、リーダー用巻止部巻取位置３ｄを中に挟んで２個ずつ設けられている。
リーダー用アーム３の付け根側のリーダー用巻止部Ｏリング３ｃの２個の間にリーダーを挟み込み、次にリーダー用巻止部巻取位置３ｄに数回巻き付けてから反対側のリーダー用巻止部Ｏリング３ｃの２個の間にリーダーを挟み込んでリーダーを固定することでリーダーを係止する事が可能になっている。
【００３８】
この結線補助具１では、全部でリーダー用巻止部３ｄ、ノズル巻止部５ｄ、アンダーアーム巻止部６ｄの３箇所に巻止部を有するが、基本的な使い方と役割は同じであり、ライン固定（仮止め含む）、係止めのために用いられる。
【００３９】
次に、図４に示すようにノズルアーム４の先端にノズル部５を設ける。ノズル部５は図８の例に示すように設置角度が可変できるように設けられており、普段は図４に示されるように折り畳まれている。
ノズル部５はノズルガイド部（テンションガイド）５ａ、ノズル巻止部５ｂ、ノズルパイプ５ｅ、ノズル部フック５ｆ、ノズル部リーダーガイド５ｇから構成され、このうちノズル巻止部５ｂは４個のノズル巻止部Ｏリング５ｃとノズル巻止部巻取位置５ｄから構成されている。
【００４０】
ノズルガイド部（テンションガイド）５ａについては、ラインにテンションを掛けることが目的であるため、図９の実施例で示すように、ノズルガイド部（Ｓ字用テンションガイド）５ａ’の２本のテンションガイドにラインをＳ字に絡ませることでテンションを生み出す方法も考えられる。
ノズルパイプ５ｅはＰＲノットの結線の際にメインラインＭを通すために用いられる。
ノズル部フック５ｆはＰＲノット結線の際に、メインラインＭへのテンションが強すぎたりラインに傷がついていたりの理由でメインラインＭが破断した場合に、本結線補助具１が顔に当たったり逸失したりしないように、リーダーに引っ掛かる形でその場に留まることを目的に設けられている。
ノズル部リーダーガイド５ｇは図５で示されるように、ノズル部フック５ｆを延長するような形で背面側に伸びている事が特徴であるが、この長さがＰＲノットの結線作業時に本結線補助具１の回転姿勢を安定させる役割を持っている。
【００４１】
図６は本結線補助具１の背面側を示す図である。背面側に設けられるノズルアームガイド部（折り返しガイド）４ａとアンダーアームガイド部（折り返しガイド）６ａはＰＲノットの結線の際に用いられる。
具体的にはＰＲノットの結線において、太いリーダーが用いられる場合はノズルガイド部（テンションガイド）５ａとアンダーアーム巻止部巻取位置６ｄの間の分の長さに相当するメインラインだけでは巻き付け（編み付け）する長さが不足する場合が考えられるため、この二つの折り返しガイドを用いて巻き付け（編み付け）する長さを確保するという役割がある。
実施図の例としては、図１０に示す矢印の部分が該当する。
図４に示されているノズルアームガイド部（折り返しガイド予備）４ｂは、さらに巻き付け（編み付け）する長さを必要とする場合のために予備的に設けられている。
【００４２】
図７は本結線補助具１を折り畳んだ場合の状態を示す図である。
【００４３】
次にこの結線補助具によりＰＲノットを編み付ける手順を説明する。
図８から順に図１８までの図は、ＰＲノットを編み付ける手順を説明する図である。
【００４４】
先ず、図８に示すように本結線補助具１のノズルパイプ５ｅにメインライン支線側Ｍｂを通し、アンダーアーム巻止部Ｏリング６ｃの間に挟み込んで仮止めし、メインラインＭをアンダーアーム巻止部巻取位置６ｄに数回巻き付ける。そして、巻き付けたアンダーアーム巻止部巻取位置６ｄとノズルパイプ５ｅの間の部分に、遊びを持たせたメインラインＭを残しておく。
次に図９、図１０に示されるように、遊びを持たせたメインラインＭを使って図１０に示すノズルアームガイド部（折り返しガイド）４ａとアンダーアームガイド部（折り返しガイド）６ａの順でメインラインＭを掛ける形で折り返し、図９に示すようにノズルガイド部（テンションガイド）５ａに巻きつけたり、ノズルガイド部（Ｓ字用テンションガイド）５ａ’にＳ字にメインライン（Ｓ字部分）Ｍ’を絡ませてからメインライン本線側Ｍａをノズルパイプ５ｅの外側に引っ張って図９の通りに巻き付けの準備を行う。
【００４５】
次に図１１に示すとおり、リーダー支線側Ｌｂをノズル部リーダーガイド５ｇの中を通す。なお、図１１中におけるリーダー本線側Ｌａの延長線上にはリーダースプールに巻かれた十分な長さのリーダーが存在する。
次に図１２に示すとおり、メインライン本線側Ｍａをリーダー支線側Ｌｂに沿わせた上でＬｈの囲んだ範囲で示された箇所（左手側による手づかみ部分Ｌｈ）を左手の親指人差し指中指等を使ってしっかりと掴む。
右手側はＲｈの囲んだ範囲で示された箇所（右手側による手づかみ部分Ｒｈ）をしっかりと掴む。
両手側ともしっかりと掴みリーダーＬがピンと張った状態にし、その上で本結線補助具１を矢印で示す方向に数回ほど回転させる。
数回ほど回転させているうちに、図１３に示す状態となる。
図１２の段階では本結線補助具１はノズル部フック５ｆの部分でリーダーに吊り下がった状態にあるが、図１３の段階ではリーダーＬに巻き付いたメインラインＭを通してリーダーＬに吊り下がった状態になっている。
この段階では本結線補助具１の重みは全てメインラインＭに掛かっており、テンションが掛かった状態となる。
ここまではリーダー本線側Ｌａの側に巻き進んでいるが、メインラインＭにテンションが掛かった段階で、右手側の持ち位置をノズル部リーダーガイド５ｇに当たる位置で持ち直す。具体的には右手親指の先、親指の爪がノズル部リーダーガイド５ｇに当たるようにしっかり掴む。それによって、さらに回転させてもリーダー本線側Ｌａの方向へは巻き進まなくなる。
【００４６】
右手側を持ち直したら、図１３に示すとおり矢印の方向に本結線補助具１を２０回以上回転させてリーダー支線側Ｌｂに巻き進めた結果が図１４の状態になる。
本結線補助具１のアームの先端側はリーダーＬに巻き付けられたメインラインＭの分だけ狭くなり、図１４の状態になる。
図１３から図１４に巻き進める段階で、本結線補助具１を回転させる早さを早くすれば遠心力が増し、結果的にラインテンションが強くなる。逆に回転を遅くすればラインテンションは弱くなる。但し、このラインテンションは本結線補助具１が静的に持つラインテンション、つまり図２に示されているアーム用ねじりコイルばね２ｄが持つ力を下回ることはない。
また、図１４にはカラビナ用リング部６ｅが示されているが、この部分に追加の錘（ウェイト）を取り付けることによって、本結線補助具１の回転の慣性力を強くすることも可能にしている。慣性力が増すと同時に遠心力も増し、更にラインテンションを強くすることも可能になっている。
【００４７】
リーダーへの巻き付けが完了したら、次はハーフヒッチと言われる仕上げの作業が必要になる。
予めハーフヒッチを行う前に、図１４においても見られるようにリーダー支線側Ｌｂに巻き付いて（絡み付いて）いる部分を解くことと、巻き付ける際にできたリーダーＬの捩れを緩める必要があるが、この作業はリーダーＬを左右の手で引っ張って緊張させた状態でアンダーアーム６の先端を少し上側（ノズル部５の側）に動かすことで捩れが緩和される。
次にハーフヒッチを行うため、図１４のアンダーアーム巻止部Ｏリング６ｃに係止したメインランＭを外してノズルパイプ５ｅからメインラインＭを引き抜き、図１５に示すように各ラインを係止し直す。
図１５では、先にリーダー本線側Ｌａをアンダーアーム巻止部Ｏリング６ｃの間に挟み込んで、数回ほどアンダーアーム巻止部巻取位置６ｄに巻き付け、その上でメインライン本線側Ｍａをノズル巻止部巻取位置５ｄに数回巻き付け、ノズル巻止部Ｏリング５ｃに挟み込んで係止している。さらにリーダー支線側Ｌｂをノズル巻止部Ｏリング５ｃに仮止めしている状態である。
【００４８】
図１６はハーフヒッチの編み付け位置を拡大した図面である。
メインライン本線側Ｍａとリーダー支線側Ｌｂ、リーダー本線側Ｌａは上下のアームの巻止部に係止めされているため、メインライン支線側Ｍｂに意識を集中させてハーフヒッチ作業を行うことができるようになっている。
ハーフヒッチの手順は、図１６に示すようにメインライン支線側Ｍｂの先端をメインライン本線側Ｍａとリーダー支線側Ｌｂの背後側へ廻して、次に手前側を通し、メインライン支線側Ｍｂが作り出した輪の中を通した後に、その輪を閉じるようにメインライン支線側Ｍｂの先端を強く引いて一つのハーフヒッチが完成する。
この図１６のように、メインライン本線側Ｍａとリーダー支線側Ｌｂに巻き付けるハーフヒッチは８回以上行われることが望ましいとされる。図１７はハーフヒッチを８回行った段階の状態を表している。
【００４９】
次にメインライン本線側Ｍａをメインライン支線側Ｍｂでハーフヒッチするが、その前にリーダー支線側Ｌｂをノズル巻止部Ｏリング５ｃから外して余分なリーダーをカットする。その上でメインライン本線側Ｍａをメインライン支線側Ｍｂでハーフヒッチした状態を図１８に示す。
最後にエンドノットと呼ばれる結びを行って、余分なメインライン支線側Ｍｂを切り除けばＰＲノットが完成する。
【００５０】
次に、本結線補助具１によりＦＧノットを編み付ける手順を説明する。
図１９から順に図２４までの図は、ＦＧノットを編み付ける手順を説明する図である。
【００５１】
先ず、図１９に示すように本結線補助具１のアンダーアーム巻止部Ｏリング６ｃにメインラインＭを挟み込んで係止し、アンダーアーム巻止部巻取位置６ｄに数回巻き付けてからノズル部５の側へメインラインＭを伸ばし、ノズル巻止部巻取位置５ｄに数回巻き付けてノズル巻止部Ｏリング５ｃに挟み込み係止する。
次にリーダーをリーダー用巻止部Ｏリング３ｃに挟み込み、リーダー本線側Ｌａをリーダー用巻止部巻取位置３ｄに数回巻き付けてから、再度リーダー用巻止部Ｏリング３ｃに挟み込み、メインラインとリーダーの交差する位置（交差位置）Ｘａとは反対側へ伸ばしておく、リーダー本線側Ｌａの延長線にはリーダーが巻かれたリーダースプールが存在する。
これでＦＧノットを編み付ける前の準備が完了する。
【００５２】
図２０と図２１はＦＧノットの編み付けの手順を示す図である。
先ずは、図２０（Ａ）に示す通りにリーダー支線側Ｌｂを折り返してメインライン支線側Ｍｂの下側を通してリーダ用巻止部３ｂの側からＵターンさせ、メインライン支線側Ｍｂの上側を通して右手側に強く引く、この結果が図２０（Ｂ）に示す通りになる。
次に図２０（Ｃ）に示す通りにリーダー支線側Ｌｂを折り返してメインライン本線側Ｍａの下側を通してリーダ用巻止部３ｂの側からＵターンさせ、メインライン本線側Ｍａの上側を通して右手側に強く引く、この結果が図２０（Ｄ）に示す通りになる。
【００５３】
この図２０（Ａ）から図２０（Ｄ）までの手順を５回繰り返した結果が図２１（Ａ）に示す通りになる。
この段階で編み付けを結束させるためのハーフヒッチを施す。ハーフヒッチの手順を図２１（Ｂ）に示す。
手順としてはリーダー支線側Ｌｂをメインライン支線側Ｍｂの下側に通し∪ターンさせてメインライン支線側Ｍｂの上側を通す。そしてリーダー支線側Ｌｂの下側を通してリーダー支線側Ｌｂを強く引く、その結果が図２１（Ｃ）の示す通りとなり、編み付けの難しいＦＧノットの初期段階が完成する。
【００５４】
図２１（Ｃ）が終わった段階での本結線補助具１を示す状態が図２２となる。
次の手順として仕上げ作業となるハーフヒッチ、エンドノットと呼ばれる工程へ進める必要がある。
手順としては、先ずメインライン支線側Ｍｂをアンダーアーム巻止部Ｏリング６ｃから外し、アンダーアーム巻止部巻取位置６ｄに巻き付いたメインライン支線側Ｍｂを解く、
次にリーダー用アームを時計回りの方向に動かす事によって、リーダー本線側Ｌａとメインライン本線側Ｍａが張架された状態が作り出される。この際、図２に示すようにリーダー用アーム引張ばね３ａが設けられている場合は、リーダー用アーム引張ばね３ａの力によってリーダー用アームは図２３に示す矢印の方向へ動きリーダー本線側Ｌａとメインライン本線側Ｍａが自動的に張架される。
次にリーダー支線側Ｌｂをノズル巻止部Ｏリング５ｃに仮止めし、ハーフヒッチ作業へ進める。
一般のＦＧノットツールでは、このリーダー本線側Ｌａをリーダー用巻止部から取り外しアンダーアーム側の巻止部に巻き付け直す必要があるため、本結線補助具１では一般のＦＧノットツールに比べて１０秒程度の時間短縮が可能になっている。
【００５５】
次に図２４に示す通り、メインライン支線側Ｍｂを使ってハーフヒッチ作業を進める。以降の作業はＰＲノットと同様に進めることでＦＧノットを完成させることができる。
【００５６】
図２５にスナップＳｎの結線する際のハーフヒッチを行う手順を示している。
このようにスナップＳｎの先端部の輪になる部分をアンダーアームガイド部（折り返しガイド）６ａに引っ掛け、リーダー本線側Ｌａをノズル巻止部Ｏリング５ｃに挟み込み仮固定することで、容易にハーフヒッチを施しやすい状況が作り出せる。
【００５７】
図２６、図２７、図２８は本結線補助具１を用いて３種類のサイズのリーダースプールを装着した状態を示す説明図である。
リーダー用巻止部３ｂとアンダーアーム巻止部の間の距離は、図１９の例を用いて説明すれば、メインラインとリーダーの交差する位置（交差位置）Ｘａに近接する状態が一番長くなり、アンダーアーム巻止部６ｂの側に近づけば近づくほど短くなる。
このリーダー用アーム３の動きの特徴を利用して、大きさの異なるリーダースープールの装着が可能になっている。
図２６は非特許文献４の一般的なミニサイズのリーダースプールを装着した場合の説明図である。
図２７は非特許文献４よりも小さめのミニサイズのリーダースプールを装着した場合の説明図である。
図２８は非特許文献４よりも大きめのミニサイズのリーダースプールを装着した場合の説明図である。
【産業上の利用可能性】
【００５８】
本発明の釣り糸の結線補助具は、ＰＲノット、ＦＧノット等の手法によるメインラインとリーダーの結線作業に用いられる。
【符号の説明】
【００５９】
１    釣り糸の結線補助具
２    アーム支持部
２ａ    アーム支持軸
２ｂ    リーダー用アーム引張ばね固定金具
２ｃ    アーム支持軸スペーサー
２ｄ    アーム用ねじりコイルばね
２ｅ    アーム開放防止ピン
２ｅ’    アーム開放防止ピン
３    リーダー用アーム
３ａ    リーダー用アーム引張ばね
３ｂ    リーダー用巻止部
３ｃ    リーダー用巻止部Ｏリング
３ｄ    リーダー用巻止部巻取位置
４    ノズルアーム
４ａ    ノズルアームガイド部（折り返しガイド）
４ｂ    ノズルアームガイド部（折り返しガイド予備）
５    ノズル部
５’    ノズル部（その２）
５ａ    ノズルガイド部（テンションガイド）
５ａ’    ノズルガイド部（Ｓ字用テンションガイド）
５ｂ    ノズル巻止部
５ｃ    ノズル巻止部Ｏリング
５ｄ    ノズル巻止部巻取位置
５ｅ    ノズルパイプ
５ｆ    ノズル部フック
５ｇ    ノズル部リーダーガイド
６    アンダーアーム
６ａ    アンダーアームガイド部（折り返しガイド）
６ｂ    アンダーアーム巻止部
６ｃ    アンダーアーム巻止部Ｏリング
６ｄ    アンダーアーム巻止部巻取位置
６ｅ    カラビナ用リング部
Ｍ    メインライン
Ｍ’    メインライン（Ｓ字部分）
Ｍａ    メインライン本線側
Ｍｂ    メインライン支線側
Ｌ    リーダー
Ｌａ    リーダー本線側
Ｌｂ    リーダー支線側
Ｌｈ    左手側による手づかみ部分
Ｒｈ    右手側による手づかみ部分
Ｘａ    メインラインとリーダーの交差する位置（交差位置）
Ｘｂ    編みコブ
Ｘｃ    編み付け部分
Ｘｈ    ハーフヒッチ部分
Ｓｎ    スナップ
Ｌｃ    リーダー先端部
Ｓｍ    一般的なミニサイズのリーダースプール
Ｓｓ    小さめのミニサイズのリーダースプール
Ｓｌ    大きめのミニサイズのリーダースプール
【図１】
0006025032.tif 000002
【図２】
0006025032.tif 000003
【図３】
0006025032.tif 000004
【図４】
0006025032.tif 000005
【図５】
0006025032.tif 000006
【図６】
0006025032.tif 000007
【図７】
0006025032.tif 000008
【図８】
0006025032.tif 000009
【図９】
0006025032.tif 000010
【図１０】
0006025032.tif 000011
【図１１】
0006025032.tif 000012
【図１２】
0006025032.tif 000013
【図１３】
0006025032.tif 000014
【図１４】
0006025032.tif 000015
【図１５】
0006025032.tif 000016
【図１６】
0006025032.tif 000017
【図１７】
0006025032.tif 000018
【図１８】
0006025032.tif 000019
【図１９】
0006025032.tif 000020
【図２０】
0006025032.tif 000021
【図２１】
0006025032.tif 000022
【図２２】
0006025032.tif 000023
【図２３】
0006025032.tif 000024
【図２４】
0006025032.tif 000025
【図２５】
0006025032.tif 000026
【図２６】
0006025032.tif 000027
【図２７】
0006025032.tif 000028
【図２８】
0006025032.tif 000029